(57)【要約】      （修正有）【課題】平面的な映像表示画面を用いて表示される立体視映像をユーザが視聴する際に、ユーザの視覚に対して好ましくない影響を与えることを極力防止する。【解決手段】分離手段は、３次元映像表示用の映像信号から相互に視差を有する第１及び第２の映像信号をフレーム単位で分離する。第１の生成手段は分離した１フレームの第１の映像信号を映像表示画面内の第１の領域に表示した第１の映像フレームを生成する。第２の生成手段は分離した１フレームの第１及び第２の映像信号の何れか一方を第１の領域とは異なる第２の領域に表示した第２の映像フレームを生成する。第３の生成手段は、第１の映像フレームと同様な第３の映像フレームを生成する。第４の生成手段は、分離した１フレームの第１及び第２の映像信号の何れか他方を第２の領域に表示した第４の映像フレームを生成する。制御手段は、第１乃至第４の映像フレームを当該順序で映像表示画面に順次表示する。【選択図】図８
2012205132.tif 000002
【特許請求の範囲】
【請求項１】
３次元映像表示用の映像信号から相互に視差を有する第１の映像信号と第２の映像信号とをフレーム単位で分離する分離手段と、
前記分離手段で分離した１フレームの第１の映像信号を、映像表示画面内の第１の領域に表示した第１の映像フレームを生成する第１の生成手段と、
前記分離手段で分離した１フレームの第１及び第２の映像信号の何れか一方を、映像表示画面内の第１の領域とは異なる第２の領域に表示した第２の映像フレームを生成する第２の生成手段と、
前記第１の生成手段で生成した第１の映像フレームと同様な第３の映像フレームを生成する第３の生成手段と、
前記分離手段で分離した１フレームの第１及び第２の映像信号の何れか他方を、映像表示画面内の第２の領域に表示した第４の映像フレームを生成する第４の生成手段と、
前記第１乃至第４の生成手段で生成した第１乃至第４の映像フレームを、当該順序で前記映像表示画面に順次表示する制御手段とを具備する映像表示装置。
【請求項２】
前記第１の生成手段は、前記分離手段で分離した１フレームの第１の映像信号にスケーリング処理及び表示位置制御処理を施して、映像表示画面内の第１の領域に表示し、
前記第２の生成手段は、前記分離手段で分離した１フレームの第１及び第２の映像信号の何れか一方にスケーリング処理及び表示位置制御処理を施して、映像表示画面内の第２の領域に表示し、
前記第３の生成手段は、前記分離手段で分離した１フレームの第１の映像信号にスケーリング処理及び表示位置制御処理を施して、映像表示画面内の第１の領域に表示し、
前記第４の生成手段は、前記分離手段で分離した１フレームの第１及び第２の映像信号の何れか他方にスケーリング処理及び表示位置制御処理を施して、映像表示画面内の第２の領域に表示する請求項１記載の映像表示装置。
【請求項３】
前記第１の生成手段は、前記分離手段で分離した１フレームの第１の映像信号にスケーリング処理及び表示位置制御処理を施して、映像表示画面内の第１の領域に表示し、
前記第２の生成手段は、前記分離手段で分離した１フレームの第１及び第２の映像信号の何れか一方にスケーリング処理及び表示位置制御処理を施して、映像表示画面内の第２の領域に表示し、
前記第３の生成手段は、前記第１の生成手段でスケーリング処理の施された第１の映像信号に表示位置制御処理を施して、映像表示画面内の第１の領域に表示し、
前記第４の生成手段は、前記分離手段で分離した１フレームの第１及び第２の映像信号の何れか他方にスケーリング処理及び表示位置制御処理を施して、映像表示画面内の第２の領域に表示する請求項１記載の映像表示装置。
【請求項４】
前記第１乃至第４の生成手段は、それぞれが生成する第１乃至第４の映像フレームのうち、前記第１の領域または第２の領域以外の部分を黒表示する請求項１記載の映像表示装置。
【請求項５】
前記映像表示画面内の第１の領域と第２の領域とは、それぞれが相互に重なり合わない範囲で、その映像表示画面内における表示サイズ及び表示位置の少なくとも一方が変更可能である請求項１記載の映像表示装置。
【請求項６】
前記映像表示画面内の第２の領域に、前記第１の映像信号を表示している期間と前記第２の映像信号を表示している期間とを示す信号を生成して送信する送信手段と、
前記送信手段で送信された信号に基づいて、左右の目に対応するシャッタが選択的に閉じられる眼鏡とを備える請求項１記載の映像表示装置。
【請求項７】
前記第１の映像信号は左目用映像信号及び右目用映像信号の何れか一方であり、前記第２の映像信号は左目用映像信号及び右目用映像信号の何れか他方である請求項１記載の映像表示装置。
【請求項８】
３次元映像表示用の映像信号から相互に視差を有する第１の映像信号と第２の映像信号とをフレーム単位で分離し、
分離した１フレームの第１の映像信号を映像表示画面内の第１の領域に表示させた第１の映像フレームを生成し、
分離した１フレームの第１及び第２の映像信号の何れか一方を映像表示画面内の第１の領域とは異なる第２の領域に表示させた第２の映像フレームを生成し、
前記第１の映像フレームと同様な第３の映像フレームを生成し、
分離した１フレームの第１及び第２の映像信号の何れか他方を映像表示画面内の第２の領域に表示させた第４の映像フレームを生成し、
前記第１乃至第４の映像フレームを当該順序で前記映像表示画面に順次表示する映像表示方法。
【発明の詳細な説明】
【技術分野】
【０００１】
この発明の実施の形態は、平面的な映像表示画面を用いて３次元（立体視）映像表示を行なう映像表示装置及び映像表示方法に関する。
【背景技術】
【０００２】
周知のように、平面的な映像表示画面を用いてユーザに立体感のある映像を認識させる技術の開発が進められている。この技術は、相互に人間の両目の間隔に対応した視差を有する２種類の映像を用意し、右目用映像をユーザの右目に視認させ、左目用映像をユーザの左目に視認させることにより３次元映像表示を行なうものである。
【０００３】
具体的には、右目用映像と左目用映像とを同一の映像表示画面に交互に表示させ、ユーザの装着した立体視用眼鏡に対して、右目用映像が表示されているとき左目のシャッタを閉じ、左目用映像が表示されているとき右目のシャッタを閉じるように制御することにより、ユーザに３次元映像を認識させる技術が存在している。
【０００４】
ところで、このようにして平面的な映像表示画面に表示される３次元映像は、視聴するユーザの視覚にとって好ましくない影響を与えることが知られており、特に、小学生等のような発育途上の人間が長時間の視聴を行なった場合、視覚の正常な発達が阻害されることが判明している。
【先行技術文献】
【特許文献】
【０００５】
【特許文献１】特開２００９−２４６８８３号公報
【発明の概要】
【発明が解決しようとする課題】
【０００６】
平面的な映像表示画面を用いて表示される３次元映像をユーザが視聴する際に、ユーザの視覚に対して好ましくない影響を与えることを極力防止した状態で視聴させることを可能として、十分に実用に適するようにした映像表示装置及び映像表示方法を提供することを目的とする。
【課題を解決するための手段】
【０００７】
実施の形態によれば、映像表示装置は、分離手段と第１の生成手段と第２の生成手段と第３の生成手段と第４の生成手段と制御手段とを備える。分離手段は、３次元映像表示用の映像信号から相互に視差を有する第１の映像信号と第２の映像信号とをフレーム単位で分離する。第１の生成手段は、分離手段で分離した１フレームの第１の映像信号を、映像表示画面内の第１の領域に表示した第１の映像フレームを生成する。第２の生成手段は、分離手段で分離した１フレームの第１及び第２の映像信号の何れか一方を、映像表示画面内の第１の領域とは異なる第２の領域に表示した第２の映像フレームを生成する。第３の生成手段は、第１の生成手段で生成した第１の映像フレームと同様な第３の映像フレームを生成する。第４の生成手段は、分離手段で分離した１フレームの第１及び第２の映像信号の何れか他方を、映像表示画面内の第２の領域に表示した第４の映像フレームを生成する。制御手段は、１乃至第４の生成手段で生成した第１乃至第４の映像フレームを、当該順序で映像表示画面に順次表示する。
【図面の簡単な説明】
【０００８】
【図１】実施の形態におけるデジタルテレビジョン放送受信装置の一例を説明するために示す外観図。
【図２】同実施の形態におけるデジタルテレビジョン放送受信装置の信号処理系の一例を説明するために示すブロック構成図。
【図３】同実施の形態におけるデジタルテレビジョン放送受信装置を操作するリモートコントローラの一例を説明するために示す外観図。
【図４】同実施の形態におけるデジタルテレビジョン放送受信装置で表示される２Ｄ／３Ｄ同時表示モード設定画面の一例を説明するために示す図。
【図５】同実施の形態におけるデジタルテレビジョン放送受信装置で表示される２Ｄ／３Ｄ同時表示画面の一例を説明するために示す図。
【図６】同実施の形態におけるデジタルテレビジョン放送受信装置の映像処理部に内蔵された２Ｄ／３Ｄ同時表示処理部の一例を説明するために示すブロック構成図。
【図７】同実施の形態における２Ｄ／３Ｄ同時表示処理部を構成する左右映像分離部の動作の一例を説明するために示す図。
【図８】同実施の形態における２Ｄ／３Ｄ同時表示処理部が行なう主要な動作の一例を表示画面で説明するために示す図。
【図９】同実施の形態における２Ｄ／３Ｄ同時表示処理部が行なう主要な動作の一例を説明するために示すフローチャート。
【発明を実施するための形態】
【０００９】
以下、実施の形態について図面を参照して詳細に説明する。図１は、この実施の形態で説明する３次元映像表示機能を備えたデジタルテレビジョン放送受信装置１１の外観を示している。このデジタルテレビジョン放送受信装置１１は、薄型のキャビネット１２と、このキャビネット１２を支持する支持台１３とから構成されている。
【００１０】
そして、上記キャビネット１２には、その正面中央部に映像表示部としての映像表示パネル１４が配置されている。また、このキャビネット１２には、その正面下方の両端部にそれぞれスピーカ１５，１５が配置されて、ステレオまたは二ヶ国語等の音声再生が行なえるようになっている。
【００１１】
さらに、このキャビネット１２には、その正面下部に、主電源スイッチ１６ａを含む操作部１６と、リモートコントローラ１７から送信される操作情報を受信するための受光部１８とが配置されている。なお、上記支持台１３は、キャビネット１２の底面中央部に回動自在に連結されており、図示しない所定の水平面上に載置された状態で、キャビネット１２を起立させて支持するように構成されている。
【００１２】
ここで、上記デジタルテレビジョン放送受信装置１１は、３次元映像表示用として放送される映像信号を受信した場合、その受信した映像信号に基づいて、相互に視差を有する右目用映像信号と左目用映像信号とをそれぞれ生成し、生成した右目用映像と左目用映像とを、映像表示パネル１４に交互に映像表示させる。
【００１３】
また、このデジタルテレビジョン放送受信装置１１は、右目用映像を映像表示している期間と、左目用映像を映像表示している期間とをそれぞれ示すシャッタ制御信号を生成して、赤外線掃射部１９から送信している。この赤外線掃射部１９から送信されたシャッタ制御信号は、複数（図示の場合は２つ）の立体視用眼鏡２０，２１に受信される。
【００１４】
これらの立体視用眼鏡２０，２１は、赤外線掃射部１９から送信されたシャッタ制御信号に基づいて、右目用映像の表示期間に左目のシャッタを閉じ、左目用映像の表示期間に右目のシャッタを閉じるように制御され、これにより、立体視用眼鏡２０，２１を装着したユーザ（この場合は２人）に３次元映像を認識させることができる。
【００１５】
図２は、上記デジタルテレビジョン放送受信装置１１の信号処理系を概略的に示している。すなわち、アンテナ２２で受信したデジタルテレビジョン放送信号は、入力端子２３を介してチューナ部２４に供給されることにより、所望のチャンネルの放送信号が選局される。
【００１６】
そして、このチューナ部２４で選局された放送信号は、復調復号部２５に供給されてデジタルの映像信号及び音声信号等に復元された後、信号処理部２６に出力される。この信号処理部２６は、復調復号部２５から供給されたデジタルの映像信号及び音声信号に対してそれぞれ所定のデジタル信号処理を施している。
【００１７】
この信号処理部２６が行なう所定のデジタル信号処理には、通常の２次元（平面視）表示用の映像信号を３次元（立体視）表示用の映像信号に変換する２Ｄ−３Ｄ変換処理や、３次元表示用の映像信号を２次元表示用の映像信号に変換する３Ｄ−２Ｄ変換処理等も含まれている。
【００１８】
この信号処理部２６から出力されたデジタルの映像信号は、映像処理部２９に供給される。この映像処理部２９は、入力されたデジタルの映像信号に対して所定のフォーマット変換処理を施している。そして、この映像処理部２９から出力された映像信号が、上記映像表示パネル１４に供給されて映像表示に供される。
【００１９】
すなわち、上記映像処理部２９は、信号処理部２６から供給される映像信号が通常の２次元表示用の映像信号である場合、その映像信号に対して、映像表示パネル１４での２次元映像表示に必要な例えばフレーム倍速変換処理等を施し、映像表示パネル１４に供給して映像表示させている。
【００２０】
また、上記映像処理部２９は、信号処理部２６から供給される映像信号が３次元表示用の映像信号である場合、その映像信号から右目用映像信号と左目用映像信号とをそれぞれ生成し、それらの映像信号をフレーム単位で倍速変換し交互に映像表示パネル１４に供給して映像表示させている。
【００２１】
さらに、上記映像処理部２９は、信号処理部２６から供給される映像信号が３次元表示用の映像信号である場合、詳細は後述するが、その映像信号に対して、映像表示パネル１４の画面上で２次元映像と３次元映像との２画面を同時に表示させるような２Ｄ／３Ｄ同時表示処理を施し、映像表示パネル１４に供給して映像表示させている。
【００２２】
また、上記信号処理部２６から出力されたデジタルの音声信号は、音声処理部２８に供給される。この音声処理部２８は、入力されたデジタルの音声信号を、上記スピーカ１５，１５で再生可能なフォーマットのアナログ音声信号に変換している。そして、この音声処理部２８から出力されたアナログ音声信号が、スピーカ１５，１５に供給されることにより音声再生に供される。
【００２３】
ここで、このデジタルテレビジョン放送受信装置１１は、上記した各種の受信動作を含む種々の動作を制御部３０によって統括的に制御されている。この制御部３０は、ＣＰＵ（central processing unit）３０ａを内蔵しており、上記操作部１６からの操作情報、または、上記リモートコントローラ１７から送信され受光部１８で受信された操作情報を受けることによって、その操作内容が反映されるように各部をそれぞれ制御している。
【００２４】
この場合、制御部３０は、メモリ部３０ｂを利用している。このメモリ部３０ｂは、主として、ＣＰＵ３０ａが実行する制御プログラムを格納したＲＯＭ（read only memory）と、該ＣＰＵ３０ａに作業エリアを提供するためのＲＡＭ（random access memory）と、各種の設定情報及び制御情報等が格納される不揮発性メモリとを有している。
【００２５】
また、上記デジタルテレビジョン放送受信装置１１には、その外部からデジタルもしくはアナログの映像信号及び音声信号を直接入力するための入力端子３３が設けられている。この入力端子３３を介して入力されたデジタルもしくはアナログの映像信号及び音声信号は、上記した映像表示及び音声再生に供される。
【００２６】
さらに、上記制御部３０には、上記赤外線掃射部１９が接続されている。この赤外線掃射部１９は、３次元映像表示を行なっている状態で上記映像処理部２９から出力される、右目用映像表示期間と左目用映像表示期間とをそれぞれ示すシャッタ制御信号を、赤外線を伝送媒体として送信している。
【００２７】
図３は、上記リモートコントローラ１７の外観を示している。このリモートコントローラ１７には、主として、電源キー１７ａ、数字キー１７ｂ、チャンネルアップダウンキー１７ｃ、音量調整キー１７ｄ、カーソル上移動キー１７ｅ、カーソル下移動キー１７ｆ、カーソル左移動キー１７ｇ、カーソル右移動キー１７ｈ、決定キー１７ｉ、メニューキー１７ｊ、戻るキー１７ｋ、終了キー１７ｌ、４色（青，赤，緑，黄）のカラーキー１７ｍ等が設けられている。
【００２８】
ここで、上記した映像処理部２９における２Ｄ／３Ｄ同時表示処理について説明する。この２Ｄ／３Ｄ同時表示処理は、ユーザがデジタルテレビジョン放送受信装置１１を２Ｄ／３Ｄ同時表示モードに設定することにより行なわれる。この２Ｄ／３Ｄ同時表示モードの設定は、ユーザがリモートコントローラ１７のメニューキー１７ｊを操作して、階層構造となされた複数のメニュー画面に分け入ることにより、図４に一例を示すような、２Ｄ／３Ｄ同時表示モード設定画面３７を映像表示パネル１４に表示させることにより行なわれる。
【００２９】
すなわち、この２Ｄ／３Ｄ同時表示モード設定画面３７では、「２Ｄ／３Ｄ同時表示モードに設定しますか」というユーザに対する質問文が表示されるとともに、「設定する」という項目３７ａと「設定しない」という項目３７ｂとが表示される。そして、ユーザが、リモートコントローラ１７のカーソル左または右移動キー１７ｇ，１７ｈを操作して項目３７ａを選択し、決定キー１７ｉを操作することにより、２Ｄ／３Ｄ同時表示モードへの設定が行なわれる。
【００３０】
図５は、上記のようにして２Ｄ／３Ｄ同時表示モードに設定された場合に、映像表示パネル１４に表示される２Ｄ／３Ｄ同時表示画面３８の一例を示している。この２Ｄ／３Ｄ同時表示画面３８には、第１の映像表示領域３８ａと第２の映像表示領域３８ｂとの２つの領域が共に形成される。
【００３１】
このうち、第１の映像表示領域３８ａには、映像処理部２９に供給された３次元表示用の映像信号が、通常の２次元（平面視）映像として表示される。また、上記第２の映像表示領域３８ｂには、映像処理部２９に供給された３次元表示用の映像信号が、３次元（立体視）映像として表示される。すなわち、映像処理部２９に供給された３次元表示用の映像信号が、映像表示パネル１４の画面上に、２次元映像と３次元映像との２種類の映像として同時に表示されることになる。
【００３２】
そして、第１の映像表示領域３８ａに表示された２次元映像は、ユーザが裸眼で通常の２次元映像として視聴することができる。また、第２の映像表示領域３８ｂに表示された３次元映像は、ユーザが立体視用眼鏡２０，２１を装着することにより、３次元映像として視聴することができる。つまり、ユーザは、同じ内容の映像を、２次元映像として、または、３次元映像として、選択的に視聴することが可能となる。
【００３３】
これにより、ユーザは、映像表示パネル１４に同時に表示されている２次元映像と３次元映像とを、立体視用眼鏡２０，２１を着脱するという簡易な動作により、適切な周期で交互に視聴することができるようになる。このため、平面的な映像表示画面を用いて表示される３次元映像をユーザが視聴する際に、ユーザの視覚に対して好ましくない影響を与えることを極力防止した状態で視聴させることが可能となり、十分に実用に適するものとなる。また、大人は立体視用眼鏡２０，２１を装着して３次元映像を視聴し、子供は裸眼で２次元映像を視聴するという利用も可能である。
【００３４】
なお、上記第１の映像表示領域３８ａ及び第２の映像表示領域３８ｂは、それぞれが重なり合わない範囲で、映像表示パネル１４の画面上における表示サイズや表示位置の少なくとも一方を変更することが可能となっている。このうち、表示サイズについては、映像表示パネル１４に表示サイズ設定画面を表示させ、予め設定された複数種類のサイズの中からユーザが所望のサイズを選択して決定するような手法が使用される。また、表示位置についても、映像表示パネル１４に表示位置設定画面を表示させ、予め設定された複数種類の表示位置の中からユーザが所望の表示位置を選択して決定するような手法が使用される。
【００３５】
図６は、上記映像処理部２９が２Ｄ／３Ｄ同時表示処理を行なうために内蔵している２Ｄ／３Ｄ同時表示処理部３９の信号処理系の一例を示している。すなわち、入力端子４０には、上記信号処理部２６から出力された３次元表示用の映像信号が供給される。この入力端子４０に供給された３次元表示用の映像信号は、左右映像分離部４１に供給される。
【００３６】
この左右映像分離部４１は、入力された３次元表示用の映像信号を左目用映像信号と右目用映像信号とにフレーム単位で分離している。そして、この左右映像分離部４１では、図７に示すように、分離された左目用映像フレームＬ１，Ｌ２，……，Ｌｎと右目用映像フレームＲ１，Ｒ２，……，Ｒｎとをフレーム毎に交互に配列し、上記制御部３０から制御端子４２を介して供給される制御信号の指示によりｎ倍速変換して出力している。
【００３７】
この左右映像分離部４１からフレーム単位で出力された左目用映像信号と右目用映像信号とは、スケーリング処理部４３に供給される。このスケーリング処理部４３は、フレーム単位で入力された映像信号に対して、そのフレームの表示サイズを、上記制御部３０から制御端子４２を介して供給される制御信号で指示されたサイズに縮小するようにスケーリング処理を施している。このスケーリング処理により、左右映像分離部４１からフレーム単位で出力された映像信号を、上記した第１及び第２の映像表示領域３８ａ，３８ｂの表示サイズに縮小することが可能となる。
【００３８】
このスケーリング処理部４３でスケーリング処理が施された映像信号は、表示位置制御部４４に供給される。この表示位置制御部４４は、スケーリング処理後の映像信号に対して、そのフレームの表示位置を、上記制御部３０から制御端子４２を介して供給される制御信号で指示された位置とするように位置制御処理を施している。この位置制御処理により、スケーリング処理後の映像信号を、上記した第１及び第２の映像表示領域３８ａ，３８ｂの表示位置に表示することが可能となる。
【００３９】
この表示位置制御部４４によって表示位置の制御された映像信号が、出力端子４５を介して出力され上記映像表示パネル１４での映像表示に供される。そして、上記２Ｄ／３Ｄ同時表示処理部３９は、上記制御部３０から制御端子４２を介して供給される制御信号に基づいて、以下のように処理動作が制御される。
【００４０】
すなわち、２Ｄ／３Ｄ同時表示モードに設定された場合、制御部３０は、図８（ａ）の（１）に示すように、左右映像分離部４１で分離された左目用映像フレームＬ１を、２Ｄ／３Ｄ同時表示画面３８の第１の映像表示領域３８ａに表示させるように、スケーリング処理部４３及び表示位置制御部４４を制御する。この場合、２Ｄ／３Ｄ同時表示画面３８のうち第１の映像表示領域３８ａ以外の部分は、例えば黒表示されている。
【００４１】
次のフレームで、制御部３０は、図８（ａ）の（２）に示すように、左右映像分離部４１で分離された左目用映像フレームＬ１を、２Ｄ／３Ｄ同時表示画面３８の第２の映像表示領域３８ｂに表示させるように、スケーリング処理部４３及び表示位置制御部４４を制御する。この場合も、２Ｄ／３Ｄ同時表示画面３８のうち第２の映像表示領域３８ｂ以外の部分は、黒表示されている。
【００４２】
また、次のフレームで、制御部３０は、図８（ａ）の（３）に示すように、左右映像分離部４１で分離された左目用映像フレームＬ１を、２Ｄ／３Ｄ同時表示画面３８の第１の映像表示領域３８ａに表示させるように、スケーリング処理部４３及び表示位置制御部４４を制御する。
【００４３】
さらに、次のフレームで、制御部３０は、図８（ａ）の（４）に示すように、左右映像分離部４１で分離された右目用映像フレームＲ１を、２Ｄ／３Ｄ同時表示画面３８の第２の映像表示領域３８ｂに表示させるように、スケーリング処理部４３及び表示位置制御部４４を制御する。
【００４４】
以上に述べた、図８（ａ）の（１）〜（４）に示した一連の動作で、１つの動作サイクルが完了される。この場合、２Ｄ／３Ｄ同時表示画面３８の第１の映像表示領域３８ａには、左目用映像フレームＬ１が間に黒画面を挟んで２回表示され、第２の映像表示領域３８ｂには、左目用映像フレームＬ１と右目用映像フレームＲ１とが間に黒画面を挟んで１回ずつ表示される。
【００４５】
すなわち、第１の映像表示領域３８ａには、左目用映像フレームＬ１のみによる２次元映像が表示され、第２の映像表示領域３８ｂには、左目用映像フレームＬ１と右目用映像フレームＲ１とによる３次元映像が表示されることになる。また、左目用映像フレームＬ１と右目用映像フレームＲ１との間には、黒画面が挿入されるので３次元クロストークの低減に効果的である。
【００４６】
そして、次のフレームでは、図８（ｂ）の（１）に示すように左目用映像フレームＬ２が第１の映像表示領域３８ａに表示される。その次のフレームでは、図８（ｂ）の（２）に示すように左目用映像フレームＬ２が第２の映像表示領域３８ｂに表示される。その次のフレームでは、図８（ｂ）の（３）に示すように左目用映像フレームＬ２が第１の映像表示領域３８ａに表示される。その次のフレームでは、図８（ｂ）の（４）に示すように右目用映像フレームＲ２が第２の映像表示領域３８ｂに表示される。
【００４７】
以下、同様にして、図８（ｃ）の（１）に示すように最後の左目用映像フレームＬｎが第１の映像表示領域３８ａに表示されると、その次のフレームで図８（ｃ）の（２）に示すように最後の左目用映像フレームＬｎが第２の映像表示領域３８ｂに表示され、その次のフレームで図８（ｃ）の（３）に示すように最後の左目用映像フレームＬｎが第１の映像表示領域３８ａに表示され、その次のフレームで図８（ｃ）の（４）に示すように最後の右目用映像フレームＲｎが第２の映像表示領域３８ｂに表示されて、２Ｄ／３Ｄ同時表示処理が終了される。
【００４８】
図９は、上記した２Ｄ／３Ｄ同時表示処理動作の一例をまとめたフローチャートを示している。この処理動作は、デジタルテレビジョン放送受信装置１１が上記した２Ｄ／３Ｄ同時表示モードに設定されることにより開始（ステップＳ１１）される。すると、制御部３０は、ステップＳ１２で、映像処理部２９の２Ｄ／３Ｄ同時表示処理部３９を構成する左右映像分離部４１に３次元表示用の映像信号が供給されたか否かを判別する。
【００４９】
そして、左右映像分離部４１に３次元表示用の映像信号が供給されたと判断された場合（ＹＥＳ）、制御部３０は、ステップＳ１３で、左右映像分離部４１に対し、３次元表示用の映像信号を左目用映像信号と右目用映像信号とにフレーム単位で分離させ、分離した左目用映像フレームＬと右目用映像フレームＲとを交互にｎ倍速で出力させるように制御する。
【００５０】
その後、制御部３０は、ステップＳ１４で、スケーリング処理部４３に対し、１枚の左目用映像フレームＬ１の表示サイズを２Ｄ／３Ｄ同時表示画面３８の第１の映像表示領域３８ａに対応したサイズとするようにスケーリング処理を行なわせる。さらに、制御部３０は、ステップＳ１５で、表示位置制御部４４に対し、スケーリング処理後の左目用映像フレームＬ１が２Ｄ／３Ｄ同時表示画面３８の第１の映像表示領域３８ａの位置に表示されるように表示位置の制御を行なわせる。これにより、左目用映像フレームＬ１に対応する左目用映像が第１の映像表示領域３８ａに表示された第１のフレーム［図８（ａ）の（１）に対応］が表示される。
【００５１】
次に、制御部３０は、ステップＳ１６で、スケーリング処理部４３に対し、同じ左目用映像フレームＬ１の表示サイズを２Ｄ／３Ｄ同時表示画面３８の第２の映像表示領域３８ｂに対応したサイズとするようにスケーリング処理を行なわせる。また、制御部３０は、ステップＳ１７で、表示位置制御部４４に対し、スケーリング処理後の左目用映像フレームＬ１が２Ｄ／３Ｄ同時表示画面３８の第２の映像表示領域３８ｂの位置に表示されるように表示位置の制御を行なわせる。これにより、左目用映像フレームＬ１に対応する左目用映像が第２の映像表示領域３８ｂに表示された第２のフレーム［図８（ａ）の（２）に対応］が表示される。
【００５２】
次に、制御部３０は、ステップＳ１８で、スケーリング処理部４３に対し、同じ左目用映像フレームＬ１の表示サイズを２Ｄ／３Ｄ同時表示画面３８の第１の映像表示領域３８ａに対応したサイズとするようにスケーリング処理を行なわせる。また、制御部３０は、ステップＳ１９で、表示位置制御部４４に対し、スケーリング処理後の左目用映像フレームＬ１が２Ｄ／３Ｄ同時表示画面３８の第１の映像表示領域３８ａの位置に表示されるように表示位置の制御を行なわせる。これにより、左目用映像フレームＬ１に対応する左目用映像が第１の映像表示領域３８ａに表示された第３のフレーム［図８（ａ）の（３）に対応］が表示される。なお、上記ステップＳ１８の処理では、先にステップＳ１４でスケーリング処理済みの左目用映像フレームＬ１を読み込んで利用する手法もある。
【００５３】
次に、制御部３０は、ステップＳ２０で、スケーリング処理部４３に対し、同じ左目用映像フレームＬ１に対応する右目用映像フレームＲ１の表示サイズを２Ｄ／３Ｄ同時表示画面３８の第２の映像表示領域３８ｂに対応したサイズとするようにスケーリング処理を行なわせる。また、制御部３０は、ステップＳ２１で、表示位置制御部４４に対し、スケーリング処理後の右目用映像フレームＲ１が２Ｄ／３Ｄ同時表示画面３８の第２の映像表示領域３８ｂの位置に表示されるように表示位置の制御を行なわせる。これにより、右目用映像フレームＲ１に対応する右目用映像が第２の映像表示領域３８ｂに表示された第４のフレーム［図８（ａ）の（４）に対応］が表示される。
【００５４】
以上により、図８（ａ）の（１）〜（４）に示した１つの動作サイクルが完了される。そして、制御部３０は、ステップＳ２２で、２Ｄ／３Ｄ同時表示モードが解除されたか否かを判別し、解除されたと判断された場合（ＹＥＳ）、処理を終了（ステップＳ２３）し、解除されていないと判断された場合（ＮＯ）、ステップＳ１２の処理に移行して、以後の左目用映像フレームＬ２，……，Ｌｎ及び右目用映像フレームＲ２，……，Ｒｎに対して同様な処理が繰り返し行なわれるようになる。
【００５５】
上記した実施の形態によれば、同じ３次元表示用の映像信号に基づいて、映像表示パネル１４に２次元映像と３次元映像とを同時に表示させるようにしたので、ユーザは、立体視用眼鏡２０，２１を着脱するという簡易な動作を行なうだけで、両映像を選択的に視聴することができるようになる。このため、平面的な映像表示画面を用いて表示される３次元映像をユーザが視聴する際に、ユーザの視覚に対して好ましくない影響を与えることを極力防止した状態で視聴させることが可能となり、十分に実用に適するものとなる。
【００５６】
また、２次元映像を所定の表示領域に表示したフレームと、３次元映像を所定の表示領域に表示したフレームとを交互に表示することで、２次元映像と３次元映像とを見かけ上同一画面に同時表示するようにしており、２次元映像と３次元映像とを同一フレーム内に混合させて表示しているのではないため、混合に要する諸回路部等が不要となり構成を簡易化することができる。
【００５７】
なお、上記した実施の形態では、２次元表示用の映像信号として左目用映像信号を用いることについて説明したが、これに限らず、２次元表示用の映像信号として右目用映像信号を用いても良いことはもちろんである。
【００５８】
また、上記した実施の形態では、２Ｄ／３Ｄ同時表示画面３８の第１の映像表示領域３８ａに２次元映像を表示させ、第２の映像表示領域３８ｂに３次元映像を表示させるようにしたが、これに限らず、第１の映像表示領域３８ａに３次元映像を表示させ、第２の映像表示領域３８ｂに２次元映像を表示させるようにしても良いものである。要するに、第１及び第２の映像表示領域３８ａ，３８ｂは、両者が重なり合わなければ、それぞれのサイズや表示位置等を特に制約しないものである。
【００５９】
さらに、上記した実施の形態では、３次元表示用の映像信号の右目用映像表示期間と左目用映像表示期間とをそれぞれ示すシャッタ制御信号を、赤外線掃射部１９により赤外線を伝送媒体として立体視用眼鏡２０，２１に送信するようにしているが、これに限らず、例えば電波を伝送媒体としてシャッタ制御信号を立体視用眼鏡２０，２１に無線送信することや、シャッタ制御信号を有線によって立体視用眼鏡２０，２１に送信する手法も考えられる。
【００６０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００６１】
１１…デジタルテレビジョン放送受信装置、１２…キャビネット、１３…支持台、１４…映像表示パネル、１５…スピーカ、１６…操作部、１６ａ…主電源スイッチ、１７…リモートコントローラ、１８…受光部、１９…赤外線掃射部、２０，２１…立体視用眼鏡、２２…アンテナ、２３…入力端子、２４…チューナ部、２５…復調復号部、２６…信号処理部、２８…音声処理部、２９…映像処理部、３０…制御部、３０ａ…ＣＰＵ、３０ｂ…メモリ部、３３…入力端子、３７…２Ｄ／３Ｄ同時表示モード設定画面、３７ａ，３７ｂ…項目、３８…２Ｄ／３Ｄ同時表示画面、３８ａ…第１の映像表示領域、３８ｂ…第２の映像表示領域、３９…２Ｄ／３Ｄ同時表示処理部、４０…入力端子、４１…左右映像分離部、４２…制御端子、４３…スケーリング処理部、４４…表示位置制御部、４５…出力端子。
【図１】
2012205132.tif 000003
【図２】
2012205132.tif 000004
【図３】
2012205132.tif 000005
【図４】
2012205132.tif 000006
【図５】
2012205132.tif 000007
【図６】
2012205132.tif 000008
【図７】
2012205132.tif 000009
【図８】
2012205132.tif 000010
【図９】
2012205132.tif 000011